(57)【特許請求の範囲】
【請求項１】
肌当接面側に液透過性の表面シート、非肌当接面側に裏面シート、両シート間に液保持性の吸収体が配置された縦長の吸収性物品であって、
前記物品は、その装着時に着用者の排泄部に対向する排泄部対向域と、該排泄部対向域から前方及び後方へそれぞれ延びる前方域及び後方域とを有し、
排泄部対向域には、前記吸収体が、肌当接面側に上層吸収体、非肌当接面側に下層吸収体を備え、該上層吸収体は排泄部対向域の肌当接面側に配置された多層部位が形成されており、
前記多層部位よりも前方及び後方において、前記吸収体は下層吸収体のみを備える小層部位が形成されており、
前記吸収体は、前記排泄部対向域の前記多層部位において、上層吸収体と下層吸収体が厚み方向に圧縮されてなる圧縮点を複数有し、かつ後方域の前記小層部位において、下層吸収体が厚み方向に圧縮されてなる圧縮点を複数有し、該吸収体を平面視したときに、排泄部対向域及び後方域それぞれに、規則的に配列された該圧縮点からなる縦長の圧縮点列が長手方向に延びるように、幅方向にわたり複数列形成されており、
排泄部対向域及び後方域それぞれにおいて、吸収体の幅方向でみたときに、一の圧縮点列を構成する各圧縮点が、該圧縮点列に隣り合う他の圧縮点列を構成する各圧縮点と長手方向における同位置に位置しないように各圧縮点を配置し、
前記後方域の小層部位に形成された圧縮点列間の距離を、前記排泄部対向域の多層部位に形成された圧縮点列間の距離よりも広くした吸収性物品。
【請求項２】
前記吸収体の全長は、吸収性物品の全長の７０％以上であり、かつ該吸収体の全長の９０％以上に前記圧縮点列を配列した請求項１に記載の吸収性物品。
【請求項３】
少なくとも上層吸収体においては、一の圧縮点列における一の圧縮点と、該圧縮点に最も近接する、他の圧縮点列における二の圧縮点とを仮想的に結ぶと二等辺三角形が形成されるように、各圧縮点を交互に配置した請求項１又は２のいずれかに記載の吸収性物品。
【請求項４】
少なくとも排泄部対向域においては、平面視一の圧縮点列における一の圧縮点と、該圧縮点に最も近接する、他の圧縮点列における一の圧縮点との距離Ｄ１に対して、一の圧縮点列において前後隣り合う圧縮点間の距離Ｄが０．６〜１倍となるように各圧縮点を配置した請求項１ないし３のいずれか一項に記載の吸収性物品。
【請求項５】
前記圧縮点は、厚み方向における下層吸収体の非肌当接面側から上層吸収体に向けて該吸収体を点状に圧縮することで形成されている請求項１ないし４のいずれか一項に記載の吸収性物品。
【発明の詳細な説明】
【技術分野】
【０００１】
本発明は、生理用ナプキン、パンティライナー（おりものシート）、失禁パッド等の吸収性物品（女性用吸収性物品）に関する。
【背景技術】
【０００２】
吸収体に圧縮部を形成して、装着状態における吸収体の形状を制御するようにした吸収性物品が知られている。例えば本出願人は先に、幅方向中央領域に層数の多い部分を有する吸収性層を備え、該層数の多い部分に、装着形状を安定化させる手段を有している吸収性物品を提案した。装着形状を安定化させる手段は、例えば非連続的に設けられた圧縮部からなる。この吸収性物品は、よれにくく、装着時の形状安定性に優れ、身体へのフィット性が良好なものである。
【０００３】
この吸収性物品とは別に、本出願人は、高吸収性ポリマーを含有する吸収シートを積層してなる複層部を備えた吸収層を有する吸収性物品を提案した。この複層部は、装着者の体液排泄部に当接される排泄部領域及び該排泄部領域よりも後方の後方領域それぞれに配置されている。後方領域に配置された複層部は、スリット又はエンボスにより形成された幅方向に延びる横長の屈曲部を複数個備えており、該屈曲部は、長手方向に間欠的に並設されている。この吸収性物品によれば、身体形状の変化の大きい後方領域のフィット性が向上し、防漏性が優れるという有利な効果が奏される。
【先行技術文献】
【特許文献】
【０００４】
【特許文献１】特開２００６−１４１７２１号公報
【特許文献２】特開２０１０−１４２３６７号公報
【発明の概要】
【発明が解決しようとする課題】
【０００５】
上述の各吸収性物品によれば、液漏れの防止を図ることができる。しかし、液漏れの防止や装着感の向上についての要求は一層高まっている。
【０００６】
したがって本発明の課題は、前述した従来技術よりも種々の特性が向上した吸収性物品を提供することにある。
【課題を解決するための手段】
【０００７】
本発明は、肌当接面側に液透過性の表面シート、非肌当接面側に裏面シート、両シート間に液保持性の吸収体が配置された縦長の吸収性物品であって、
前記吸収体は、肌当接面側に上層吸収体、非肌当接面側に下層吸収体を備え、該上層吸収体は排泄部対向域の肌当接面側に配置され、
前記吸収体は、上層吸収体と下層吸収体が厚み方向に圧縮されてなる圧縮点を複数有し、該吸収体を平面視したときに、規則的に配列された該圧縮点からなる縦長の圧縮点列が長手方向に延びるように、幅方向にわたり複数列形成されており、
吸収体の幅方向でみたときに、一の圧縮点列を構成する各圧縮点が、該圧縮点列に隣り合う他の圧縮点列を構成する各圧縮点と長手方向における同位置に位置しないように各圧縮点を配置した吸収性物品を提供するものである。
【発明の効果】
【０００８】
本発明の吸収性物品によれば、装着状態において、着用者の排泄部に対向する部位が着 用者の身体に向けて凸状に変形して、着用者の身体にフィットするので、液漏れが効果的に防止される。また、凸状に変形した部位が圧縮点の形成によって安定するので、そのことによっても液漏れが効果的に防止される。更に、多数の圧縮点を形成することによって吸収体が柔軟になり、吸収性物品の装着感が向上する。
【図面の簡単な説明】
【０００９】
【図１】図１は、本発明の吸収性物品の一実施形態を示す平面図である。
【図２】図２は、図１におけるII−II線断面図である。
【図３】図３（ａ）は、図１に示す吸収性物品における圧縮点の配置状態を示す模式図であり、図３（ｂ）は、従来の吸収性物品における圧縮点の配置状態を示す模式図である。
【図４】図４は、本発明の吸収性物品の他の実施形態を示す平面図（図１相当図）である。
【発明を実施するための形態】
【００１０】
以下本発明を、その好ましい実施形態に基づき図面を参照しながら説明する。図１には本発明の吸収性物品の一実施形態の平面図が示されている。図２は、図１におけるII−II線断面図である。
【００１１】
図１及び図２に示す吸収性物品は生理用ナプキン１０である。ナプキン１０は略縦長の形状をしており、その装着時に着用者の排泄部に対向する部位である排泄部対向域Ｃと、該排泄部対向域Ｃが前方及び後方へそれぞれ延びる前方域Ａ及び後方域Ｂとを有する。ナプキン１０は、その主たる構成部材として、着用者の肌に近い側に位置する表面シート１１と、着用者の肌から遠い側に位置する裏面シート１２とを有している。表面シート１１と裏面シート１２との間には吸収体１３が介在配置されている。
【００１２】
表面シート１１は液透過性のものである。表面シートとしては、従来この種の吸収性物品に使用される液透過性シートを特に制限なく用いることができる。該液透過性シートとしては、排泄された液を吸収体へ透過させることができるものであれば制限はないが、特に肌着に近い感触を有するものが好ましい。そのような液透過性シートとしては、例えば不織布や、フィルムに多数の穿孔を設けた穿孔フィルムが挙げられる。特に、肌着に近い感触を与えるものとしてエアスルー不織布を用いることが好ましい。
【００１３】
裏面シート１２は、液不透過性又は液難透過性のものである。液不透過性のシートとしては、例えば各種の熱可塑性樹脂からなるフィルムが挙げられる。このフィルムは水蒸気透過性を有していてもよい。液難透過性のシートとしてはスパンボンド不織布（Ｓ）とメルトブローン不織布（Ｍ）が複合化されたシート（例えばＳＭ、ＳＭＳ、ＳＭＭＳなど）を用いることができる。
【００１４】
吸収体１３としては、例えばフラッフパルプの積繊体や、フラッフパルプと高吸収性ポリマーとの混合積繊体を用いることができる。これらの積繊体は、ティッシュペーパーや不織布などの液透過性シートによって包まれていてもよい。
【００１５】
ナプキン１０は、その排泄部対向域Ｃに、左右両側部から側方へ延出する一対のウイング部１４，１４を有している。ウイング部１４は、裏面シート１２及び／又は表面シート１１の延長部分として形成されているか、又は裏面シート１２及び表面シート１１とは別部材から形成されている。ウイング部１４における裏面には粘着剤層（図示せず）が設けられている。粘着剤層は、ナプキン１０を着用者のショーツに取り付け状態において、ナプキン１０をショーツに固定するために用いられる。
【００１６】
排泄部対向域Ｃの具体的な位置は、本実施形態のようなナプキンの場合、使用者の膣口に対向する領域であり、いわゆる昼用のナプキンでは、該ナプキンを長手方向に三等分した中央領域であり、夜用のナプキンでは、該ナプキンを長手方向に二等分した前側領域の後方側である。ナプキン１０がショーツの股下部にまきつけて、固定するウイング部１４，１４を有する場合には、排泄部対向域Ｃは、昼用又は夜用のナプキンにかかわらず、該ウイング部１４，１４が配置されている間の領域を指すが、この領域に限定されるものではない。
【００１７】
ナプキン１０は、その表面シート１１側における左右の両側部に、ナプキン１０の長手方向に延びる一対の防漏カフ１５が設けられている。防漏カフ１５は、上方へ向けて起立する壁部１５ａと、壁部１５ａの上端から水平方向へ張り出す張り出し部１５ｂとから構成されている。したがって防漏カフ１５の幅方向断面は、略Ｔ字状の形状となる。壁部１５ａの基部は吸収体１３と裏面シート１２との間に位置している。張り出し部１５ｂは、その上面が略平面になっており、ナプキン１０の装着時に該張り出し部１５ｂが着用者の肌に面でもって当接するようになっている。張り出し部１５ｂには、防漏カフ１５の延びる方向と同方向に延びる弾性糸１５ｃが複数本配されている。弾性糸１５ｃは、伸長状態で張り出し部１５ｂに固定されている。弾性糸１５ｃはその収縮によって壁部１５ａを起立させるとともに、張り出し部１５ｂの平面形状を安定化させて、該張り出し部１５ｂの肌への当接を確実なものとしている。
【００１８】
張り出し部１５ｂはナプキン１０の前端及び後端の位置において、表面シート１１と接合されている。また張り出し部１５ｂは、ナプキン１０の排泄部対向域Ｃと後端域Ｂとの境界部近傍の位置である中間固定部２０においても表面シート１１と接合されている。これらの接合によって、防漏カフ１５はその起立が一層安定したものとなる。
【００１９】
ナプキン１０における吸収体１３は、排泄部対向域Ｃにおいて、上層吸収体１３ｂと下層吸収体１３ａとを備えている。具体的には、図２に示すように、排泄部対向域Ｃにおいては、ナプキン１０の幅方向中央域に、下層吸収体１３ａ及び上層吸収体１３ｂからなる多層部位が形成されている。下層吸収体１３ａはナプキン１０の非肌当接面側に配置されている。一方、上層吸収体１３ｂはナプキン１０の肌当接面側に配置されている。この多層部位は、ナプキン１０の長手方向に延びている。吸収体１３は、この多層部位以外の部位が、下層吸収体１３ａの少層部位から形成されている。具体的には、少層部位は単層の部位であり、多層部位の前後において、該多層部位から前方及び後方に延びている。また、多層部位の左右両側も少層部位から形成されている。この少層部位は、多層部位における下層吸収体１３ａからの連続体で形成されている。したがって、吸収体１３を平面視した場合、下層吸収体１３ａの輪郭が吸収体１３の輪郭を画成している。多層部位は、少層部位よりもその厚みが大きくなっている。
【００２０】
吸収体１３の多層部位を構成する下層吸収体１３ａと上層吸収体１３ｂとは、同種の材料から構成されていてもよく、あるいは異種の材料から構成されていてもよい。下層吸収体１３ａと上層吸収体１３ｂとから構成される多層部位の全体の厚みは、３１０Ｐａ荷重下で５〜１２ｍｍであることが好ましく、５〜１０ｍｍであることが、排泄部対向域Ｃを着用者の身体にフィット性良く当接させられる点から好ましい。一方、下層吸収体１３ａのみから構成される単層部位の厚みは３１０Ｐａ荷重下で２〜１０ｍｍ、特に３〜７ｍｍであることが、液の十分な保持性、及び、着用者の身体へのフィット性の点から好ましい。
【００２１】
上層吸収体１３ｂは、排泄部対向域Ｃに配置されることから、多量の排液（経血）を素早く吸収するとともに、隣接する下層吸収層１３ａに排液を拡散させる機能を有する。下層吸収層１３ａは、上層から伝えられた排液をその長手方向に液拡散させて、上層吸収層１３ｂから肌への液戻りを防止する機能を有する。かかる観点から、後述する圧縮点１６は、下層吸収体１３ａの非肌当接面側から、上層吸収体１３ｂに向けて、上層吸収体１３ｂまで至り、かつ上層吸収体１３ｂを貫通しないよう形成することが液伝達の点から好ましい。
【００２２】
ナプキン１０には、吸収体１３の多層部位である排泄部対向域Ｃにおける幅方向中央域Ｃの両側部に位置する下層吸収体１３ａに、長手方向に延びる防漏溝１９ａが形成されている。各防漏溝１９ａは、その一端がナプキン１０の前方域Ａまで延びて、該前方域Ａに形成されている円弧状防漏溝１９ｂと滑らかに接続されている。防漏溝１９ａは、多層部位には達していない。また防漏溝１９ａの他端は、ナプキン１０の後方域Ｂに形成されている防漏溝１９ｃの一端と滑らかに接続されている。防漏溝１９ｃの他端は、ナプキン１０の後端近傍に形成されている円弧状防漏溝１９ｅと滑らかに接続されている。このように、ナプキン１０には、これらの防漏溝からなる閉じた形状の溝が形成されている。防漏溝からなる閉じた形状の溝は上層吸収体１３ｂの周りに形成されている。
【００２３】
吸収体１３には、平面視において、排泄部対向域Ｃから、該対向域Ｃの前後方向に向けて、該吸収体１３が圧縮されてなる複数の圧縮点１６からなる圧縮点列１７が複数列形成されている。圧縮点１６は、排泄部対向域Ｃにおいては、上層吸収体１３ｂと下層吸収体１３ａとが厚み方向に圧縮されて形成されている。一方、排泄部対向域Ｃから前後に延びる前方域Ａ及び後方域Ｂにおいては、下層吸収体１３ａのみが厚み方向に圧縮されて圧縮点１６が形成されている。圧縮点列１７は吸収体１３の長手方向に延びている。圧縮点列１７は、排泄部対向域Ｃを跨ぎ、前方域Ａから後方域Ｂにわたって直線状に形成されている。図１及び図２に示すナプキン１０では、該ナプキン１０の幅方向にわたり２本の圧縮点列１７ａ，１７ｂが形成されている。２本の圧縮点列１７ａ，１７ｂは、吸収体１３の縦中心線（図示せず）に対して対称な位置に形成されている。
【００２４】
２本の圧縮点列１７のうちの一方の圧縮点列１７ａにおいては、前後で隣り合う圧縮点１６の距離は同じになっている。他方の圧縮点列１７ｂにおいても、前後で隣り合う圧縮点１６の距離は同じになっている。一方の圧縮点列１７ａにおいて前後で隣り合う圧縮点の距離と、他方の圧縮点列１７ｂにおいて前後で隣り合う圧縮点の距離は同じでもよく、あるいは異なっていてもよい。図１に示すナプキン１０においては、両圧縮点列１７ａ，１７ｂにおいて前後で隣り合う圧縮点の距離は同じになっている。
【００２５】
図２に示すように、各圧縮点１６は、吸収体１３の面のうち、肌から遠い側の面（非肌当接面側）から、肌に近い側の面（肌当接面側）に向けて、該吸収体１３を裏面シート１２とともに点状に押し込んで圧縮することで形成されている。圧縮点１６は上層吸収体１３を貫通しないように形成されている。したがって吸収体１３を、肌から遠い側の面からみると、圧縮点１６に対応する位置に貫通していない穴が形成されている。吸収体１３の非肌当接面側から圧縮を行い圧縮点１６を形成することで、ナプキン１０の装着時に、吸収体１３は、両側部からの圧縮に対して、幅方向中央が隆起して、幅方向の断面視において滑らかな山なりの湾曲形状に変形し易くなるため、ナプキン１０のフィット性が向上する。また、裏面シート１２を吸収体１３とともに押し込んで圧縮点１６を形成することで、裏面シート１２と吸収体１３との一体感を高め、かつ裏面シート１２の浮きを防止することができる。尤も、裏面シート１２は押し込まず、下層吸収体１３ｂ及び上層吸収体１３ａのみを押し込んで圧縮点１６を形成してもよい。圧縮点１６の形成には、例えば押し込みピンを用い、肌から遠い側の面から該押し込みピンで該吸収体１３を押し込めばよい。押し込みに際しては、押し込みピンを所定温度に加熱してもよい。
【００２６】
押し込みピンを用いて形成された圧縮点１６においては、押し込み部の深さは、吸収体１３の多層構造の厚み（３１０Ｐａ荷重下）の２０〜９５％、特に５０〜９５％であることが、吸収体１３の確実な圧縮の点から好ましい。
【００２７】
ナプキン１０においては、複数の圧縮点１６が直線状に配置されるように圧縮点列を形成することで、ナプキン１０の装着状態において、吸収体１３が着用者の身体側に向けて凸状に変形しやすくなる。その結果、ナプキン１０が着用者の身体にフィットしやすくなる。特に圧縮点１６が、肌から遠い側の面（非肌当接面側）から、肌に近い側の面に向けて、該吸収体１３を圧縮することで形成されていることで、先に述べたとおり、着用者の身体側に向けての吸収体１３の変形が円滑に起こるようになる。
【００２８】
特に、図３（ａ）に示すように、ナプキン１０においては、吸収体１３の少なくとも多層部位、すなわち排泄部対向域Ｃにおける幅方向中央域においては、吸収体１３の幅方向でみたときに、一の圧縮点列１７ａを構成する各圧縮点が、該圧縮点列１７ａに隣り合う他の圧縮点列１７ｂを構成する各圧縮点と同位置に位置しないように各圧縮点１６を配置してある。このように圧縮点１６を配置することで、３つの圧縮点１６ａ，１６ｂ，１６ｃで面を構成することができ、吸収体１３の多層部位である排泄部対向域Ｃの幅方向中央域では吸収面が安定しやすくなるという利点がある。吸収面の安定は、液漏れの防止に大きく寄与する。これと同時に、先に述べたとおり、ナプキン１０の装着時に、吸収体１３は、両側部からの圧縮に対して、幅方向中央が隆起して、幅方向の断面視において滑らかな山なりの湾曲形状に変形し易くなる。これに対して図３（ｂ）に示す従来のナプキン（特許文献１参照）では、吸収体１３の幅方向でみたときに、一の圧縮点列１７ａ’を構成する各圧縮点１６ａ’が、該圧縮点列１７ａ’に隣り合う他の圧縮点列１７ｂ’を構成する各圧縮点１７ｂ’と同位置に位置しているので、３つの圧縮点で面が構成されづらく、安定した吸収面が形成されづらい。
【００２９】
また、圧縮点を上述のように配置することで、ナプキン１０の後方域Ｂにおいては、吸収体１３の少層部位が柔軟なものになり、かつ該少層部位が変形するときの起点が細かく形成される。これらのことに起因して、ナプキン１０はその後方域Ｂにおけるフィット性が向上するという有利な効果も奏される。
【００３０】
更に、各圧縮点列における前後の圧縮点１６間の距離Ｄが、図３（ａ）と図３（ｂ）とで同じ場合であっても、図３（ａ）における圧縮点列１７ａにおける圧縮点１６ａと、該圧縮点列１７ａに隣り合う圧縮点列１７ｂ間における圧縮点１６ｂとの距離Ｄ１は、図３（ｂ）に示す従来のナプキンにおける距離Ｄ２よりも大きくなる。このことに起因して、図３（ａ）に示すナプキン１０は、圧縮点の数が図３（ｂ）に示す従来のナプキンと同じ場合であっても、従来のナプキンよりも圧縮点１６が密になりすぎず、吸収体１３の多層部位の柔軟性が向上する。したがってナプキン１０のフィット性が向上する。
【００３１】
その上、図３（ａ）に示すように、ナプキン１０においては、隣り合う圧縮点列１７ａ，１７ｂ間において、圧縮点１６の位置が幅方向においてずれているので、吸収体１３が着用者の肌に向けて凸状に変形した状態において、幅方向の断面形状が滑らかな山なりの形状になり、着用者の身体へのナプキン１０のフィット性が向上する。これに対して図３（ｂ）に示す従来のナプキンにおいては、吸収体の変形が２本の圧縮点列１７ａ’，１７ｂ’のそれぞれで生じやすくなり、その結果、吸収体１３の幅方向の断面において角張った部位１３ａが形成されやすくなる。この角張った部位１３ａが存在することは、着用者の身体へのナプキンのフィット性にマイナスに作用する。
【００３２】
上述した種々の有利な効果を一層顕著なものとすることから、少なくとも吸収体１３の多層部位においては、図３（ａ）に示すように、一の圧縮点列１７ａにおける一の圧縮点１６ａと、該圧縮点１６ａに最も近接する、他の圧縮点列１７ｂにおける二の圧縮点１６ｂ，１６ｃとを仮想的に結ぶと二等辺三角形が形成されるように、圧縮点列１７ａの各圧縮点と圧縮点列１７ｂの各圧縮点とを、ナプキン１０を幅方向に見たときに、交互に（つまり互い違いに）配置することが好ましい。この場合、この二等辺三角形における２つの斜辺は、一の圧縮点列１７ａにおける圧縮点１６ａと、他の圧縮点列１７ｂにおける圧縮点１６ｂ，１６ｃとを結ぶことによって形成されることが好ましい。二等辺三角形における底辺は、圧縮点列１７ｂにおける圧縮点１６ｂ，１６ｃを結ぶことによって形成されることが好ましい。
【００３３】
また、上述した種々の有利な効果を一層顕著なものとすることから、少なくとも吸収体１３の排泄部対向域Ｃにおいては、図３（ａ）に示すように、平面視で、一の圧縮点列１７ａにおける一の圧縮点１６ａと、該圧縮点１６ａに最も近接する、他の圧縮点列１７ｂにおける一の圧縮点１６ｂとの距離Ｄ１に対して、一の圧縮点列１７ａにおいて前後隣り合う圧縮点間の距離Ｄが０．６〜１倍、特に０．８〜１倍となるように各圧縮点を配置することが好ましい。なお距離Ｄ１及び距離Ｄは圧縮点の中心間の距離として定義される。
【００３４】
圧縮点列１７ａ，１７ｂにおいて、前後隣り合う圧縮点間の距離Ｄは、着用者の身体へのナプキン１０のフィット性（凸状への変形のしやすさ）、及び吸収体１３の柔軟性の観点から、５〜２０ｍｍ、特に７〜１５ｍｍとすることが好ましい。また左右で隣り合う圧縮点列１７ａ，１７ｂ間の距離Ｗは、着用者の身体へのナプキン１０のフィット性（凸状への変形のしやすさ、凸状変形時の形状）の観点から、５〜１５ｍｍ、特に８〜１２ｍｍとすることが好ましい。
【００３５】
図１に示すように、圧縮点列１７は、ナプキン１０の排泄部対向域Ｃ及びそこから前後に延びる前方域Ａ及び後方域Ｂに形成されている。圧縮点列１７の全長は、吸収体１３の全長の９０％以上、特に９５％以上であることが、着用者の身体へのナプキン１０のフィット性（凸状への変形のしやすさ）、及び吸収体１３の柔軟性の点から好ましい。この場合、吸収体１３は、ナプキン１０の周縁部における表面シート１１と裏面シート１２とをシールし一体化した領域を除く領域と略同じ大きさが好ましい。吸収体１３の全長は、周縁のシールした領域を除くナプキン１０の縦方向長さの好ましくは７０％以上、更に好ましくは８０％以上、一層好ましくは９０％以上である。また、先に述べたとおり、下層吸収体１３ａの輪郭は吸収体１３の輪郭を画成しているので、下層吸収体１３ａはナプキン１０と略同じ大きさであることが好ましい。
【００３６】
図４には、本発明の別の実施形態の吸収性物品としての生理用ナプキン１０が示されている。このナプキン１０は、後方域Ｂにおける圧縮点の配置状態が、先に説明した図１〜図３（ａ）に示すナプキンと異なっている。その他の構成については、先に説明した図１〜図３（ａ）に示すナプキンと同じなので、ここでの説明は省略する。図４に示すナプキン１０においては、後方域Ｂに３本の後方圧縮点列２１が形成されている。後方圧縮点列２１間の距離は、排泄部対向域Ｃに形成されている圧縮点列１７間の距離よりも広くなっている。３本の後方圧縮点列２１のうち、中央に位置する後方圧縮点列２１ｂは、ナプキン１０の縦中心線（図示せず）上に位置している。また、３本の後方圧縮点列２１のうち、左右に位置する２本の後方圧縮点列２１ａ，２１ｃは、ナプキン１０の縦中心線（図示せず）に対して対称に位置している。各後方圧縮点列２１においては、前後で隣り合う圧縮点１６間の距離は同じになっている。また、後方圧縮点列２１において前後で隣り合う圧縮点１６間の距離と、排泄部対向域Ｃに形成されている圧縮点列１７において前後で隣り合う圧縮点１６間の距離とは同じでもよく、あるいは異なっていてもよい。
【００３７】
図４に示す実施形態のナプキン１０によれば、先に説明した図１〜図３（ａ）に示すナプキンよりも、ナプキン１０の後方域Ｂにおいて圧縮点１６が広く分散配置されているので、該後方域Ｂの全域が柔軟化される。したがって後方域Ｂの着用者の臀部へのフィット性が一層向上する。特に、後方圧縮点列２１が、防漏カフ１５における中間固定部２０よりも後端側に形成されていることで、後方域Ｂにおけるフィット性が向上することに加えて、後方域Ｂにおける液の横漏れが防漏カフ１５によって効果的に防止されるようになる。
【００３８】
以上、本発明をその好ましい実施形態に基づき説明したが、本発明は前記の実施形態に制限されない。例えば前記の各実施形態においては、排泄部対向域Ｃの幅方向中央域に２本の圧縮点列１７が形成されていたが、これに代えて３本以上の圧縮点列を形成してもよい。
【００３９】
また、前記の各実施形態においては、圧縮点１６は排泄部対向域Ｃ、前方域Ａ及び後方域Ｂに形成されているが、これに代えて、圧縮点１６は排泄部対向域Ｃにのみ形成されていてもよい。尤も、排泄部対向域Ｃだけでなく、前方域Ａ及び後方域Ｂにも圧縮点１６を形成することが好ましい。
【００４０】
また、排泄部対向域Ｃにおいて吸収体１３は、上層吸収体１３ｂ及び下層吸収体１３ａから構成されていたが、これに代えて、排泄部対向域Ｃにおいて吸収体１３を、上層吸収体１３ｂ、下層吸収体１３ａ及び両吸収体の間に配置される中間吸収体から構成してもよい。尤も、排泄部対向域Ｃにおいて吸収体１３は、上層吸収体１３ｂ及び下層吸収体１３ａから構成されていることが好ましい。
【００４１】
また前記の実施形態においては、防漏カフ１５の横断面形状は略Ｔ字状であったが、これに代えてその他の形状、例えば略Ｚ字状の構造のものを用いてもよい。また前記の実施形態においては、排泄部対向域Ｃに一対のウイング部１４が形成されていたが、ウイング部は形成しなくてもよい。
【００４２】
また本発明は、生理用ナプキンだけでなく、他の吸収性物品、例えばパンティライナー（おりものシート）や失禁パッド等にも同様に適用できる。
【実施例】
【００４３】
以下、実施例により本発明を更に詳細に説明する。しかしながら本発明の範囲は、かかる実施例に制限されない。
【００４４】
〔実施例１及び比較例１〕
図１及び図２に示す生理用ナプキンを製造した。ナプキンの排泄部対向域における幅方向中央域の吸収体は、下層吸収体がフラッフパルプと高吸収性ポリマーとの積繊体からなり、その坪量は２６０ｇ／ｍ2であった。上層吸収体は、フラッフパルプと高吸収性ポリマーとの積繊体からなり、その坪量は４４０ｇ／ｍ2であった。下層吸収体及び上層吸収体の合計の厚みは３１０Ｐａ荷重下で９ｍｍであった。上層吸収体は、長手方向の寸法が３００ｍｍ、幅方向の寸法が８０ｍｍであった。ナプキンの全長は３４０ｍｍであった。表面シートとしては坪量２５ｇ／ｍ2のエアスルー不織布を用いた。裏面シートとしては、坪量３０ｇ／ｍ2のポリエチレンフィルムを用いた。
【００４５】
ナプキンの排泄部対向域における幅方向中央域では、下層吸収体と上層吸収体との多層部位に複数の圧縮点を形成した。圧縮点は下層吸収体側から押し込みピンを押し込んで形成した。押し込みピンはその直径が２ｍｍの金属製のものであった。押し込みピンは加熱せずに用いた。
【００４６】
複数の圧縮点からなる圧縮点列を２列形成した。各圧縮点列における前後で隣り合う圧縮点の距離は実施例１及び比較例１ともに１２ｍｍとした。各圧縮点列は、ナプキンの縦中心線から５ｍｍ離れた位置に形成した。実施例１においては、一方の圧縮点列に対して、他方の圧縮点列が半ピッチずれるように、各圧縮点を形成した。比較例１においては、ナプキンの幅方向でみたときに、一方の圧縮点列における各圧縮点と同位置に、他方の圧縮点列における各圧縮点が位置するように、各圧縮点を形成した。
【００４７】
このようにして形成された実施例１及び比較例１のナプキンについて、以下の評価１〜評価３を行った。
【００４８】
〔評価１〕
本評価では、ナプキンを縦中心線に沿って裏面シート側から表面シート側に向けて折り曲げたときの剛性値を測定した。測定にはハンドルオメーターを用いた。ハンドルオメーターのスリット幅は４０ｍｍとした。ナプキンから排泄部対向域を長手方向に６０ｍｍ切り出して、ハンドルオメーターのスリット上に載置した。このとき、ナプキンの縦中心線とハンドルオメーターのブレードの向きとが一致するように、切り出したナプキンを載置した。そして、ハンドルオメーターのブレードを水平状態から８ｍｍ押し下げたときの荷重を測定し、その値を剛性値とした。測定は８回行いその平均値を求めた。その結果を以下の表１に示す。
【００４９】
【表１】
0005651000.tif 000002
【００５０】
表１に示す結果から明らかなように、実施例１と比較例１とでは、剛性値は同程度であることが判る。このことは、ナプキン全体としての可撓性は実施例１と比較例１とでは同程度であることを意味している。しかし、標準偏差は実施例１の方が小さいことが判る。このことは、実施例１の方が、比較例１よりも吸収面が安定して形成されることを意味している。
【００５１】
〔評価２〕
本評価でも、前記の評価１と同様に、ナプキンを縦中心線に沿って裏面シート側から表面シート側に向けて折り曲げたときの剛性値を測定した。ただし本評価ではハンドルオメーターのスリット幅を２０ｍｍに狭め、吸収体の多層部位のみの剛性を測定した。測定は８回行った。その結果を以下の表２に示す。
【００５２】
【表２】
0005651000.tif 000003
【００５３】
表２に示す結果から明らかなように、実施例１の剛性値は比較例１の剛性値よりも低いことが判る。このことは、実施例１の方が比較例１に比べて曲げに対して柔軟であることを意味している。
【００５４】
〔評価３〕
本評価では、ナプキンを幅方向に沿って表面シート側から裏面シート側に向けて折り曲げたときの剛性値を、ハンドルオメーターを用いて測定した。ハンドルオメーターのスリット幅は３５ｍｍとした。ナプキンから排泄部対向域を長手方向に６０ｍｍ切り出して、ハンドルオメーターのスリット上に載置した。このとき、ナプキンの幅方向とハンドルオメーターのブレードの向きとが一致するように、切り出したナプキンを載置した。そして、ハンドルオメーターのブレードを水平状態から８ｍｍ押し下げたときの荷重を測定し、その値を剛性値とした。実施例１においては、各圧縮点列における各圧縮点上にハンドルオメーターのブレードが当接するようにナプキンの位置を調節して、合計１０カ所において測定を行った（各圧縮点列について５カ所）。比較例１においては、圧縮点上にハンドルオメーターのブレードが当接するようにナプキンの位置を調節して、５カ所において測定を行った。更に前後で隣り合う圧縮点間の中間点上にハンドルオメーターのブレードが当接するようにナプキンの位置を調節して、５カ所において測定を行った。これらの結果を以下の表３に示す。
【００５５】
【表３】
0005651000.tif 000004
【００５６】
表３に示す結果から明らかなように、圧縮点上での測定では、実施例１と比較例１とでは剛性値は同程度であることが判る。しかし、比較例１では圧縮点間の中間点における剛性値が高いことが判る。このことは、実施例１の方が、小さな力で屈曲する屈曲点の数が、ナプキンの長手方向に沿って多数存在していることを意味している。
【符号の説明】
【００５７】
１０  生理用ナプキン（吸収性物品）
１１  表面シート
１２  裏面シート
１３  吸収体
１４  ウイング部
１５  防漏カフ
１６  圧縮点
１７  圧縮点列
【図１】
0005651000.tif 000005
【図２】
0005651000.tif 000006
【図３】
0005651000.tif 000007
【図４】
0005651000.tif 000008